(57)【要約】【課題】新聞社の複数の部署の特性を考慮して新聞の素材を管理する。【解決手段】  素材管理装置１は、素材データを受信する素材受信手段１１と、素材データと素材ＩＤとを関連づけて記憶し、素材ＩＤと素材データのグループＩＤとを関連づけた素材管理データ２２ａを記憶する素材登録手段１２と、作成部署端末２から、グループＩＤに対するテーマ名データを受信して、グループＩＤと、テーマ名データと、作成部署の識別子と、を関連づけたテーマデータ２３ａを記憶するテーマ登録手段１３と、作成部署端末から素材データが検索されると、素材管理データ２２ａから検索された素材データに対応するグループＩＤを抽出するとともに、テーマデータ２３ａから、抽出されたグループＩＤと、作成部署の識別子と、に関連づけられたテーマ名データを抽出して、検索された素材データと抽出されたテーマ名データを、作成部署端末２に送信する検索手段１４を備える。【選択図】      図１
2011059807.tif 000002
【特許請求の範囲】
【請求項１】
新聞社の複数の部署で共通して使用され、新聞作成の素材となる素材データを管理する素材管理システムであって、
第１の部署で用いられる第１の部署端末と、
第２の部署で用いられる第２の部署端末と、
前記第１の部署端末および前記第２の部署端末で使用される素材データを管理する素材管理装置を備え、
前記素材管理装置は、
前記第１の部署または前記第２の部署から、素材データを受信する素材受信手段と、
前記素材受信手段によって受信された素材データと当該素材データの識別子とを関連づけて記憶するとともに、前記素材データの識別子と当該素材データの属するグループのグループ識別子とを関連づけた素材管理データを、記憶装置に記憶する素材登録手段と、
前記第１の部署端末および前記第２の部署端末のうち少なくとも一つの部署端末から、前記グループ識別子に対するテーマ名データを受信して、前記グループ識別子と、前記テーマ名データと、当該テーマ名データの送信元である部署の識別子と、を関連づけたテーマデータを、前記記憶装置に記憶するテーマ登録手段と、
前記第１の部署端末から前記素材データが検索されると、前記素材管理データから検索された前記素材データに対応するグループ識別子を抽出するとともに、前記テーマデータから、抽出されたグループ識別子と、当該第１の部署の識別子と、に関連づけられたテーマ名データを抽出して、検索された素材データと抽出されたテーマ名データを、前記第１の部署端末に送信する検索手段
とを備えることを特徴とする素材管理システム。
【請求項２】
前記検索手段はさらに、
前記部署の識別子と、当該部署で必要な印刷テンプレートデータとが関連づけられた印刷テンプレート管理データから、前記第１の部署の識別子に対応づけられた印刷テンプレートデータを抽出し、抽出した印刷テンプレートデータを前記第１の部署端末に送信し、
前記第１の部署端末は、
前記素材管理装置から送信された素材データおよびテーマ名データに基づいて表示装置に表示するとともに、前記素材管理装置から送信された素材データ、テーマ名データおよび印刷テンプレートデータに基づいて印刷する
ことを特徴とする請求項１に記載の素材管理システム。
【請求項３】
新聞社の第１の部署端末および前記第２の部署端末で共通して使用され、新聞作成の素材となる素材データを管理する素材管理装置であって、
前記第１の部署または前記第２の部署から、素材データを受信する素材受信手段と、
前記素材受信手段によって受信された素材データと当該素材データの識別子とを関連づけて記憶するとともに、前記素材データの識別子と当該素材データの属するグループのグループ識別子とを関連づけた素材管理データを、記憶装置に記憶する素材登録手段と、
前記第１の部署端末および前記第２の部署端末のうち少なくとも一つの部署端末から、前記グループ識別子に対するテーマ名データを受信して、前記グループ識別子と、前記テーマ名データと、当該テーマ名データの送信元である部署の識別子と、を関連づけたテーマデータを、前記記憶装置に記憶するテーマ登録手段と、
前記第１の部署端末から前記素材データが検索されると、前記テーマデータから、検索された素材データの識別子に対応するグループ識別子と、当該第１の部署の識別子と、に関連づけられたテーマ名データを抽出して、検索された素材データと抽出されたテーマ名データを、前記第１の部署端末に送信する検索手段
とを備えることを特徴とする素材管理装置。
【請求項４】
前記テーマ登録手段は、前記一つの部署端末からさらに、前記グループ識別子に対する優先度を受信して、前記テーマデータにさらに、前記優先度とを関連づけて前記記憶装置に記憶する
ことを特徴とする請求項３に記載の素材管理装置。
【請求項５】
前記記憶装置は、前記部署の識別子と、当該部署で必要な印刷テンプレートデータとが関連づけられた印刷テンプレート管理データ記憶部を備え、
前記検索手段はさらに、
前記印刷テンプレート管理データ記憶部から、前記第１の部署の識別子に対応づけられた印刷テンプレートデータを抽出し、抽出した印刷テンプレートデータを前記第１の部署端末に送信する
ことを特徴とする請求項３または４に記載の素材管理装置。
【請求項６】
新聞社の第１の部署端末および前記第２の部署端末で共通して使用され、新聞作成の素材となる素材データを管理する素材管理プログラムであって、
前記第１の部署または前記第２の部署から、素材データを受信する素材受信手段と、
前記素材受信手段によって受信された素材データと当該素材データの識別子とを関連づけて記憶するとともに、前記素材データの識別子と当該素材データの属するグループのグループ識別子とを関連づけた素材管理データを、記憶装置に記憶する素材登録手段と、
前記第１の部署端末および前記第２の部署端末のうち少なくとも一つの部署端末から、前記グループ識別子に対するテーマ名データを受信して、前記グループ識別子と、前記テーマ名データと、当該テーマ名データの送信元である部署の識別子と、を関連づけたテーマデータを、前記記憶装置に記憶するテーマ登録手段と、
前記第１の部署端末から前記素材データが検索されると、前記テーマデータから、検索された素材データの識別子に対応するグループ識別子と、当該第１の部署の識別子と、に関連づけられたテーマ名データを抽出して、検索された素材データと抽出されたテーマ名データを、前記第１の部署端末に送信する検索手段
としてコンピュータを機能させることを特徴とする素材管理プログラム。
【発明の詳細な説明】
【技術分野】
【０００１】
本発明は、新聞社の複数の部署で共通して使用され、新聞作成の素材となる素材データを管理する素材管理システム、素材管理装置および素材管理プログラムに関する。
【背景技術】
【０００２】
新聞社で新聞を作成する際、各々の役割を持つ複数の部署が携わる。新聞に最新のニュースを掲載するため、時々刻々と変化するニュースを適宜把握し、朝刊または夕刊の紙面を作成していく。このため、例えば日々発行される朝刊を発行するために、１日に何度か各部署の担当者が一同に介し、紙面会議が開催される。紙面会議では、新聞の記事の内容、掲載面などが決定される。
【０００３】
また、新聞は一般的に、全国共通の全国面と、配達地域に特化した地域面とが含まれる。新聞社では、全国面の記事を作成するとともに、各地域面の記事を作成する。地方発信の素材が、全国面の素材になることもあり、地方面と全国面の連携も必要になる。
【０００４】
例えば、新聞制作の効率を向上させるために、素材を紙面上に配置する際、各素材の紙面への出稿計画を作成部門別に分類した出稿計画データを生成する装置がある（例えば、特許文献１参照）。
【先行技術文献】
【特許文献】
【０００５】
【特許文献１】特開２００４−５１２３号公報
【発明の概要】
【発明が解決しようとする課題】
【０００６】
しかしながら、新聞の作成にあたり複数の部署の役割を考慮して、編集会議の資料の作成を支援するシステムがなかった。上述した特許文献１に記載の装置においては、素材の紙面上への配置を支援するものの、各部署の役割に応じた素材の管理や、編集会議で各部署が必要な資料の作成には何ら考慮されていない。
【０００７】
従って本発明の目的は、新聞社の複数の部署の特性を考慮して新聞の素材を管理する素材管理システム、素材管理装置および素材管理プログラムを提供することである。
【課題を解決するための手段】
【０００８】
上記課題を解決するために、本発明の第１の特徴は、新聞社の複数の部署で共通して使用され、新聞作成の素材となる素材データを管理する素材管理システムに関する。即ち本発明の第１の特徴に係る素材管理システムは、第１の部署で用いられる第１の部署端末と、第２の部署で用いられる第２の部署端末と、第１の部署端末および第２の部署端末で使用される素材データを管理する素材管理装置を備える。素材管理装置は、第１の部署または第２の部署から、素材データを受信する素材受信手段と、第１の部署または第２の部署から、素材データを受信する素材受信手段と、素材受信手段によって受信された素材データと当該素材データの識別子とを関連づけて記憶するとともに、素材データの識別子と当該素材データの属するグループのグループ識別子とを関連づけた素材管理データを、記憶装置に記憶する素材登録手段と、第１の部署端末および第２の部署端末のうち少なくとも一つの部署端末から、グループ識別子に対するテーマ名データを受信して、グループ識別子と、テーマ名データと、当該テーマ名データの送信元である部署の識別子と、を関連づけたテーマデータを、記憶装置に記憶するテーマ登録手段と、第１の部署端末から素材データが検索されると、素材管理データから検索された素材データに対応するグループ識別子を抽出するとともに、テーマデータから、抽出されたグループ識別子と、当該第１の部署の識別子と、に関連づけられたテーマ名データを抽出して、検索された素材データと抽出されたテーマ名データを、第１の部署端末に送信する検索手段とを備える。
【０００９】
上記発明においては、検索手段はさらに、部署の識別子と、当該部署で必要な印刷テンプレートデータとが関連づけられた印刷テンプレート管理データから、第１の部署の識別子に対応づけられた印刷テンプレートデータを抽出し、抽出した印刷テンプレートデータを第１の部署端末に送信し、部署の識別子と、当該部署で必要な印刷テンプレートデータとが関連づけられた印刷テンプレート管理データから、第１の部署の識別子に対応づけられた印刷テンプレートデータを抽出し、抽出した印刷テンプレートデータを第１の部署端末に送信し、第１の部署端末は、素材管理装置から送信された素材データおよびテーマ名データに基づいて表示装置に表示するとともに、素材管理装置から送信された素材データ、テーマ名データおよび印刷テンプレートデータに基づいて印刷する素材管理装置から送信された素材データおよびテーマ名データに基づいて表示装置に表示するとともに、素材管理装置から送信された素材データ、テーマ名データおよび印刷テンプレートデータに基づいて印刷することが好ましい。
【００１０】
本発明の第２の特徴は、新聞社の第１の部署端末および第２の部署端末で共通して使用され、新聞作成の素材となる素材データを管理する素材管理装置に関する。即ち本発明の第２の特徴に係る素材管理装置は、第１の部署または第２の部署から、素材データを受信する素材受信手段と、素材受信手段によって受信された素材データと当該素材データの識別子とを関連づけて記憶するとともに、素材データの識別子と当該素材データの属するグループのグループ識別子とを関連づけた素材管理データを、記憶装置に記憶する素材登録手段と、第１の部署端末および第２の部署端末のうち少なくとも一つの部署端末から、グループ識別子に対するテーマ名データを受信して、グループ識別子と、テーマ名データと、当該テーマ名データの送信元である部署の識別子と、を関連づけたテーマデータを、記憶装置に記憶するテーマ登録手段と、第１の部署端末から素材データが検索されると、テーマデータから、検索された素材データの識別子に対応するグループ識別子と、当該第１の部署の識別子と、に関連づけられたテーマ名データを抽出して、検索された素材データと抽出されたテーマ名データを、第１の部署端末に送信する検索手段とを備える。
【００１１】
上記発明においては、テーマ登録手段は、一つの部署端末からさらに、グループ識別子に対する優先度を受信して、テーマデータにさらに、優先度とを関連づけて記憶装置に記憶することが好ましい。
【００１２】
上記発明においては、記憶装置は、部署の識別子と、当該部署で必要な印刷テンプレートデータとが関連づけられた印刷テンプレート管理データ記憶部を備え、検索手段はさらに、印刷テンプレート管理データ記憶部から、第１の部署の識別子に対応づけられた印刷テンプレートデータを抽出し、抽出した印刷テンプレートデータを第１の部署端末に送信する印刷テンプレート管理データ記憶部から、第１の部署の識別子に対応づけられた印刷テンプレートデータを抽出し、抽出した印刷テンプレートデータを第１の部署端末に送信することが好ましい。
【００１３】
本発明の第３の特徴は、新聞社の第１の部署端末および第２の部署端末で共通して使用され、新聞作成の素材となる素材データを管理する素材管理プログラムに関する。即ち本発明の第３の特徴に係る素材管理プログラムは、第１の部署または第２の部署から、素材データを受信する素材受信手段と、素材受信手段によって受信された素材データと当該素材データの識別子とを関連づけて記憶するとともに、素材データの識別子と当該素材データの属するグループのグループ識別子とを関連づけた素材管理データを、記憶装置に記憶する素材登録手段と、第１の部署端末および第２の部署端末のうち少なくとも一つの部署端末から、グループ識別子に対するテーマ名データを受信して、グループ識別子と、テーマ名データと、当該テーマ名データの送信元である部署の識別子と、を関連づけたテーマデータを、記憶装置に記憶するテーマ登録手段と、第１の部署端末から素材データが検索されると、テーマデータから、検索された素材データの識別子に対応するグループ識別子と、当該第１の部署の識別子と、に関連づけられたテーマ名データを抽出して、検索された素材データと抽出されたテーマ名データを、第１の部署端末に送信する検索手段としてコンピュータを機能させる。
【発明の効果】
【００１４】
本発明によれば、新聞社の複数の部署の特性を考慮して新聞の素材を管理する素材管理システム、素材管理装置および素材管理プログラムを提供することができる。
【図面の簡単な説明】
【００１５】
【図１】本発明の実施の形態に係る素材管理システムのシステム構成と、素材管理装置の機能ブロックを説明する図である。
【図２】本発明の実施の形態に係る素材管理システムによって作成が支援される新聞を説明する図である。
【図３】本発明の実施の形態に係る素材管理装置のハードウェア構成を説明する図である。
【図４】本発明の実施の形態に係る素材管理データのデータ構造とデータの一例を説明する図である。
【図５】本発明の実施の形態に係るテーマデータのデータ構造とデータの一例を説明する図である。
【図６】本発明の実施の形態に係る素材登録手段による素材登録処理を説明するフローチャートである。
【図７】本発明の実施の形態に係るテーマ登録手段によるテーマ登録処理を説明するフローチャートである。
【図８】本発明の実施の形態に係るテーマ登録手段において、各部署端末に表示する画面を説明する図である。
【図９】本発明の実施の形態に係る検索手段による検索処理を説明するフローチャートである。
【図１０】本発明の実施の形態に係る検索手段によって検索された素材データの一覧を、作成部署端末で表示する画面の一例である。
【図１１】本発明の実施の形態に係る検索手段によって検索された素材データの一覧を、作成部署端末で印刷した印刷物の一例である。
【図１２】本発明の実施の形態に係る検索手段によって検索された素材データの一覧を、出稿部署端末で表示する画面の一例である。
【図１３】本発明の実施の形態に係る検索手段によって検索された素材データの一覧を、出稿部署端末で印刷した印刷物の一例である。
【図１４】本発明の実施の形態に係る検索手段によって検索された素材データの一覧を、整理部署端末で表示する画面の一例である。
【図１５】本発明の実施の形態に係る検索手段によって検索された素材データの一覧を、整理部署端末で印刷した印刷物の一例である。
【発明を実施するための形態】
【００１６】
次に、図面を参照して、本発明の実施の形態を説明する。以下の図面の記載において、同一または類似の部分には同一または類似の符号を付している。
【００１７】
本発明の実施の形態に係る素材管理システム１０は、新聞の作成にあたって、作成部署、出稿部署および整理部署の３つの部署が関与する場合について説明するが、この部署に限られず、２つの部署が関与しても良いし、４つ以上の部署が関与しても良い。即ち、新聞社の運用や役割等に応じて、複数の部署が関与する場合に、本発明の実施の形態に係る素材管理システム１０を適用することができる。
【００１８】
本発明の実施の形態に係る素材管理システム１０を用いて最終的に生成される新聞は、図２に示すような構成を備える。新聞は、複数のページによって構成されているとともに、複数の面を備える。図２に示す例では、トップ面Ｍ１０１、社会面Ｍ１０２、文化面Ｍ１０３および地方面Ｍ１０４を備える。ここで、トップ面Ｍ１０１、社会面Ｍ１０２および文化面Ｍ１０３は、全国共通の面であって、全国面と称する。一方、地方面Ｍ１０４は、配達先の地域独自の記事を扱い、地方面と称する。また、トップ面Ｍ１０１に記事Ａ１０１、Ａ１０２等を備えるように、各面は、複数の記事により構成されている。各記事は、本発明の実施の形態に係る素材管理システム１０で管理される一つ以上の素材データに基づいて生成される。
【００１９】
本発明の実施の形態に係る素材管理システム１０においては、複数の素材を一つのグループに関連づける。グループは、素材データの出稿日、出稿部署、グループ名等ごとに付与される。一つのグループには、その素材データを扱う部署ごとに、テーマ、優先度および番号が対応づけられている。
【００２０】
本発明の実施の形態において各部署は、下記の様な役割を持つ。
【００２１】
作成部署は、新聞を構成する素材を作成または収集する部署である。素材としては、取材、プレスリリース、インタビューおよび論説等の記事、記事の説明等に用いられる写真、取材予定等のメモ等である。
【００２２】
出稿部署は、作成部署によって生成される素材に基づいて、全国面の記事を、例えばテーマの単位でまとめるとともに、各地方の地方面の記事をまとめる。出稿部署は、テーマの単位で素材をまとめる際、一つのグループに関連づけられた複数の素材から一つの記事にまとめても良いし、複数の記事にまとめても良い。
【００２３】
整理部署は、新聞を構成するページごとに、記事を割り振る部署である。整理部署は、各地方ごとに記事を割り振る。整理部署によって割り振られた記事に基づいて、最終的に配達される新聞が形成される。
【００２４】
本発明の実施の形態においては、作成部署が素材データを素材管理装置１に送信し、出稿部署がその素材データを記事にまとめ、整理部署が各ページに割り振る場合について説明するが、これは一例である。例えば、出稿部署や整理部署が素材データを素材管理装置１に送信したり、送信された素材データを変更しても良い。
【００２５】
（実施の形態）
本発明の実施の形態に係る素材管理システム１０は、素材管理装置１、作成部署端末２、出稿部署端末３および整理部署端末４を備える。素材管理装置１、作成部署端末２、出稿部署端末３および整理部署端末４は、社内ＬＡＮなどの通信ネットワーク５を介して、相互に接続されている。
【００２６】
作成部署端末２、出稿部署端末３および整理部署端末４は、それぞれ作成部署、出稿部署および整理部署によって使用される一般的なコンピュータである。作成部署端末２、出稿部署端末３および整理部署端末４は、中央処理制御装置や記憶装置を備え、所定のプログラムをインストールすることにより実現される。
【００２７】
作成部署端末２は、作成部署の部員によって使用される。本発明の実施の形態に係る作成部署端末２は、素材データを素材管理装置１に送信する。このとき、作成部署の部員は、作成部署端末２の入力装置からその素材データの属するグループ名を指定する。作成部署端末２は、指定されたグループ名またはグループ名の識別子（グループＩＤ）を素材データに関連づけて素材管理装置１に送信する。素材データに適切なグループがない場合、作成部署の部員は、新たなグループ名を作成部署端末２に入力する。作成部署端末２は、入力されたグループ名を素材データに関連づけて素材管理装置１に送信する。また、作成部署端末２は、各グループに、作成部署が設定したテーマ名、優先度、番号等を付して、素材管理装置１に送信する。作成部署が付するテーマ名は、作成部署が素材データを作成するのに分かりやすい名称等であって、優先度および番号は、素材データの作成等における優先順位を示す指標である。
【００２８】
作成部署端末２は、素材管理装置１に素材データを検索する条件を送信するとともに、素材管理装置１から検索結果として送信された素材データおよびテーマ名データに基づいて表示装置に表示する。ここで表示されるテーマ名データは、作成部署端末２によって登録されたものである。さらに作成部署端末２は、素材管理装置１から送信された素材データおよびテーマ名データを、作成部署に対応する印刷テンプレートデータに基づいて印刷する。
【００２９】
出稿部署端末３は、出稿部署の部員によって使用される。本発明の実施の形態に係る出稿部署端末３は、各グループに、出稿部署が設定したテーマ名、優先度、番号等を付して、素材管理装置１に送信する。出稿部署が付するテーマ名は、出稿部署が記事をまとめるのに分かりやすい名称等であって、優先番号および番号は、記事のまとめ等における優先順位を示す指標である。
【００３０】
出稿部署端末３は、素材管理装置１に素材データを検索する条件を送信するとともに、素材管理装置１から検索結果として送信された素材データおよびテーマ名データに基づいて表示装置に表示する。ここで表示されるテーマ名データは、出稿部署端末３によって登録されたものである。さらに出稿部署端末３は、素材管理装置１から送信された素材データおよびテーマ名データを、出稿部署に対応する印刷テンプレートデータに基づいて印刷する。
【００３１】
整理部署端末４は、整理部署の部員によって使用される。本発明の実施の形態に係る整理部署端末４は、各グループに、整理部署が設定したテーマ名、優先順位等を付して、素材管理装置１に送信する。整理部署が付するテーマ名は、整理部署が記事を割り当てるのに分かりやすい名称等であって、優先順位は、記事の割り当て等における優先順位である。例えば、整理部署が付するテーマ名は、記事の見出しとなり、優先度および番号は、ページにおける記事掲載スペースの広さに基づく優先順位を示す指標である。
【００３２】
整理部署端末４は、素材管理装置１に素材データを検索する条件を送信するとともに、素材管理装置１から検索結果として送信された素材データおよびテーマ名データに基づいて表示装置に表示する。ここで表示されるテーマ名データは、整理部署端末４によって登録されたものである。さらに整理部署端末２は、素材管理装置１から送信された素材データおよびテーマ名データを、整理部署に対応する印刷テンプレートデータに基づいて印刷する。
【００３３】
図２に示すように、本発明の実施の形態に係る素材管理装置１は、中央処理制御装置１０１、ＲＯＭ（Read Only Memory）１０２、ＲＡＭ（Random Access Memory）１０３および入出力インタフェース１０９が、バス１１０を介して接続されている。入出力インタフェース１０９には、入力装置１０４、表示装置１０５、通信制御装置１０６、記憶装置１０７およびリムーバブルディスク１０８が接続されている。
【００３４】
中央処理制御装置１０１は、入力装置１０４からの入力信号に基づいてＲＯＭ１０２から素材管理装置１を起動するためのブートプログラムを読み出して実行し、さらに記憶装置１０７に記憶されたオペレーティングシステムを読み出す。さらに中央処理制御装置１０１は、入力装置１０４や通信制御装置１０６などの入力信号に基づいて、各種装置の制御を行ったり、ＲＡＭ１０３や記憶装置１０７などに記憶されたプログラムおよびデータを読み出してＲＡＭ１０３にロードするとともに、ＲＡＭ１０３から読み出されたプログラムのコマンドに基づいて、データの計算または加工など、後述する一連の処理を実現する処理装置である。
【００３５】
入力装置１０４は、操作者が各種の操作を入力するキーボード、マウスなどの入力デバイスにより構成されており、操作者の操作に基づいて入力信号を作成し、入出力インタフェース１０９およびバス１１０を介して中央処理制御装置１０１に送信される。表示装置１０５は、ＣＲＴ（Cathode Ray Tube）ディスプレイや液晶ディスプレイなどであり、中央処理制御装置１０１からバス１１０および入出力インタフェース１０９を介して表示装置１０５において表示させる出力信号を受信し、例えば中央処理制御装置１０１の処理結果などを表示する装置である。通信制御装置１０６は、ＬＡＮカードやモデムなどの装置であり、素材管理装置１をインターネットやＬＡＮなどの通信ネットワークに接続する装置である。通信制御装置１０６を介して通信ネットワークと送受信したデータは入力信号または出力信号として、入出力インタフェース１０９およびバス１１０を介して中央処理制御装置１０１に送受信される。
【００３６】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９およびバス１１０を介して中央処理制御装置１０１に送受信される。
【００３７】
本発明の実施の形態に係る素材管理装置１の記憶装置１０７には、素材管理プログラムが記憶されるとともに、素材データ記憶部２１、素材管理データ記憶部２２、テーマデータ記憶部２３および印刷テンプレートデータ記憶部２４を備える。また、素材管理プログラムが素材管理装置１の中央処理制御装置１０１に読み込まれ実行されることによって、素材受信手段１１、素材登録手段１２、テーマ登録手段１３および検索手段１４が素材管理装置１に実装される。
【００３８】
素材データ記憶部２１には、素材ＩＤごとに、素材データ２１ａが記憶されている。「素材ＩＤ」は、素材データを識別する識別子である。本発明の実施の形態において素材データ２１ａは、作成部署端末２から送信されるが、出稿部署端末３や整理部署端末４から送信されても良い。また、素材データ２１ａは、作成部署端末２、出稿部署端末３または整理部署端末４において編集され素材管理装置１に送信され、変更されても良い。
【００３９】
素材管理データ記憶部２２には、素材管理データ２２ａが記憶される。素材管理データ２２ａは、素材データ記憶部２１に記憶された各素材データ２１ａの属性を、素材ＩＤごとに関連づけたデータである。
【００４０】
素材管理データ２２ａは、例えば図４に示すように、素材ＩＤをキーに、各素材データの情報が関連づけられている。図４において、各素材データの情報として、グループＩＤ、出稿日、グループ名等が関連づけられている。「出稿日」は、この素材データが素材管理装置１に受信された日である。本発明の実施の形態において、各素材データは、いずれかのグループに関連づけられている。一つのグループには、複数の素材データが関連づけられている。グループは、例えば、ニュースの単位ごとに設定される。「グループＩＤ」は、このグループを識別する識別子である。グループＩＤは、作成部署端末２等によって最初にグループが作成されたときに、素材管理システム１０によって採番される。また「グループ名」は、グループが最初に作成されたときに、作成部署端末等によって作成され、素材管理装置１が受信する。一つのグループＩＤに複数の素材ＩＤが関連づけられても良い。一方、一つの素材ＩＤに複数のグループＩＤが関連づけられることはない。
【００４１】
図４に示す例では、グループＩＤ「００２」においては、グループ名「株価」が設定されている。このグループＩＤ「００２」が関連づけられている素材ＩＤに対応する素材データは、株価に関するニュースの素材データである。
【００４２】
図４に示す例においては、作成部署、出稿部署、整理部署の各項目に、「Ａ１０１」などの識別子が含まれている。これらの識別子は、各部署が、課などの複数の構成要素で構成されている場合、各部署の課を特定するものである。
【００４３】
テーマデータ記憶部２３には、テーマデータ２３ａが記憶される。テーマデータ２３ａは、素材管理データ２２ａの各グループＩＤについて、そのグループの情報が関連づけられたデータである。
【００４４】
テーマデータ２３ａは、例えば図５に示すように、グループＩＤをキーに、各グループの情報が関連づけられている。図５において、各グループの情報として、グループ名、出稿日、出稿部署、テーマ名、優先度、番号等が関連づけられている。ここで、グループ名、出稿日および出稿部署は、図４に示した素材管理データ２２ａのグループ名、出稿日および出稿部署に対応する。
【００４５】
本発明の実施の形態において、各グループについて、グループ名とは別に、テーマ名が付与されている。テーマ名は、このグループの素材を参照する部署ごとに設けられている。テーマデータ２３ａの「テーマ名」は、作成部署、出稿部署、整理部署の各部署ごとに設けられる。テーマデータ２３ａにおいて、一つのグループＩＤについて、複数の部署の識別子と、それぞれの部署が付与した複数のテーマ名とが関連づけられている。具体的には、グループＩＤ「００４」に、グループ名として「健康」が関連づけられている。さらにこのグループについて、「作成部署」のテーマ名として「ウォーキング大会（□□大会）」が、「出稿部署」のテーマ名として「□□公園  ウォーキング大会」が、さらに「整理部署」のテーマ名として「さわやかウォーキング大会  □□公園」が、それぞれ関連づけられている。
【００４６】
本発明の実施の形態において、テーマデータ２３ａの「優先度」および「番号」も、「テーマ名」と同様に、作成部署、出稿部署、整理部署の各部署ごとに設けられる。この「優先度」および「番号」は、各部署の端末において、グループごとに素材データを一覧表示や一覧印刷等する場合の表示順序を決定するパラメータである。優先度および番号は、各部署の役割に応じて各部署が設定することができる。図５に示す例では、優先度「◎」が一番高い。優先度「◎」のグループの情報やこのグループに関連づけられた素材データは、上位に表示または印刷される。次いで、「○」、記号なし（null値）と優先順位が下がる。また、番号は、同じ優先度の中での優先順位を決定する。複数の同じ優先度がある場合、例えば、番号が若いほど上位に表示または印刷され、番号が大きくなるほど下位に表示または印刷される。
【００４７】
このように、本発明の実施の形態に係るテーマデータ２３ａは、グループＩＤおよび各部署ごとに、テーマ名、優先度および番号を付与する。従って、各部署は、各グループＩＤに属する素材データを、各部署の役割に応じてに都合の良いテーマ名、優先度および番号を用いて管理することができる。
【００４８】
印刷テンプレート管理データ記憶部２４には、印刷テンプレート管理データ２４ａが記憶されている。印刷テンプレート管理データ２４ａは、作成部署、出稿部署、整理部署の各部署の識別子と、各部署端末で素材データを印刷するためのテンプレートデータが関連づけられている。テンプレートデータは、データを管理するソフトウェアのマクロ等であっても良い。
【００４９】
素材受信手段１１は、例えば作成部署端末２から、素材データを受信する。素材受信手段１１は、受信した素材データをＲＡＭ１０３等に一時的に記憶する。このとき素材受信手段１１はさらに、その素材データの出稿日、出稿部署、当該素材データを関連づけるグループ名等のグループの情報を、作成部署端末２に指定させ、素材データに関連づけて受信する。
【００５０】
この際、素材受信手段１１は、既に素材管理データ２２ａに記憶されているグループＩＤと素材データとを関連づける場合、素材管理データ２２ａで予め関連づけられている出稿日、出稿部署、グループ名等のデータの一覧を作成部署端末２に表示し、作成部署端末２にいずれかのグループを選択させるようにしても良い。また、作成部署端末２において、素材データのキーワードを入力させ、素材受信手段１１がキーワードからグループ名を選択し、あるいはキーワードに合致するグループ名を作成部署端末２に表示して、いずれかのグループを選択させても良い。素材受信手段１１が受信した出稿日、出稿部署、グループ名等は、素材登録手段１２によって処理される。
【００５１】
素材登録手段１２は、受信した素材データを識別する素材ＩＤ（素材データの識別子）を採番し、素材受信手段１１によって受信された素材データとこの素材ＩＤとを関連づけて、記憶装置１０７の素材データ記憶部２１に記憶する。さらに、素材登録手段１２は、素材ＩＤとその素材データの属するグループのグループＩＤ（グループ識別子）とを関連づけて、素材管理データ２２ａを、記憶装置１０７の素材管理データ記憶部２２に記憶する。
【００５２】
素材登録手段１２は、素材受信手段１１から出稿日、出稿部署、グループ名等を受信すると、素材管理データ２２ａを参照して、素材管理データ２２ａに、同一の出稿日、出稿部署、グループ名等が関連づけられたグループＩＤがあるか否かを検索する。グループＩＩＤがあった場合、素材登録手段１２は、そのグループＩＤと素材ＩＤおよびグループ名とを関連づけて、素材管理データ２２ａに登録する。一方、素材管理データ２２ａに、同一の出稿日、出稿部署、グループ名等が関連づけられたグループＩＤがなかった場合、素材登録手段１２は、新たなグループＩＤを採番して、テーマデータ２３ａに、採番したグループＩＤに関するレコードを追加するとともに、採番したグループＩＤと素材ＩＤおよびグループ名とを関連づけて、素材管理データ２２ａに登録する。
【００５３】
図６を参照して、素材登録手段１２による素材登録処理を説明する。
【００５４】
まずステップＳ１０１において素材登録手段１２は、テーマデータ２３ａを検索して、素材受信手段１１から入力された出稿日、出稿部署およびグループ名を含むレコードが存在するか検索する。存在しない場合、ステップＳ１０２において、新たなグループＩＤを採番し、ステップＳ１０３において、テーマデータ２３ａを更新する。具体的には、素材登録手段１２は、新たなグループＩＤと、素材受信手段１１から入力された出稿日、出稿部署およびグループ名を関連づけるレコードを生成して、テーマデータ２３ａに挿入する。その後、ステップＳ１０４において、素材管理データ２２ａを更新する。具体的には、素材登録手段１２は、ステップＳ１０２において採番したグループＩＤ、素材ＩＤおよびテーマ名とを関連づけて、素材管理データ２２ａに登録する。
【００５５】
一方ステップＳ１０１において、同一の出稿日、出稿部署およびグループ名を含むレコードが存在する場合、素材登録手段１２は、そのレコードのグループＩＤを抽出し、抽出したグループＩＤ、素材ＩＤおよびテーマ名とを関連づけて、素材管理データ２２ａに登録する。
【００５６】
テーマ登録手段１３は、作成部署端末２、出稿部署端末３および整理部署端末４のうち少なくとも一つの部署端末から、グループＩＤに対するテーマ名データを受信して、グループＩＤと、テーマ名データと、テーマ名データの送信元である部署の識別子と、を関連づけたテーマデータを、記憶装置１０７のテーマデータ記憶部２３に記憶する。
【００５７】
テーマ登録手段１３は、各グループＩＤに対して、グループ名とは別に、各部署ごとにテーマ名を対応づけるとともに、優先度および番号を対応づける。各部署ごとのテーマ名、優先度および番号は、各端末から入力される。入力されると、テーマ登録手段１３は、図７に示すように、ステップＳ２０１において、そのグループＩＤのテーマ名、優先度および番号と、入力した部署の識別子とを関連づけて、テーマデータ２３ａに記録する。
【００５８】
各部署端末が、テーマ名、優先度および番号を入力する際、図８に示すような画面が、各部署端末に表示される。作成部署端末２が、図８に示す画面を表示した際、図８に示す画面には、テーマデータ２３ａの各グループＩＤのレコードについて、作成部署端末２の識別子に関連づけられたテーマ名、優先度および番号が表示されている。
【００５９】
グループＩＤが新たに採番された場合は、テーマ名欄に、デフォルト値として、素材登録手段１２によって取得されたグループ名が表示されている。作成部署端末２の部員は、図８に示す画面を操作して、各グループＩＤの優先度、番号およびテーマ名を編集することができる。出稿部署端末３および整理部署端末４においても、同様の画面が表示され、同様に、各グループＩＤの優先度、番号およびテーマ名を編集することができる。
【００６０】
テーマ登録手段１３は、各部署端末から、当該部署端末で入力された各グループＩＤの優先度、番号およびテーマ名を受信し、当該部署端末の識別子に関連づけて、テーマデータ２３ａに記憶する。例えば、図８に示すように、整理部署端末４によって編集されたとすると、グループＩＤ「００１」のデータについて、優先度「◎」、番号「１」およびテーマ名「平均株価  年初来高値更新」が、それぞれ「整理部署」の識別子に関連づけられて、図５に示すようなテーマデータ２３ａに登録される。
【００６１】
検索手段１４は、作成部署端末２、出稿部署端末３および整理部署端末４のうち少なくとも一つの部署端末から素材データ２１ａが検索されると、素材管理データ２２ａから検索された素材データ２１ａに対応するグループＩＤを抽出するとともに、テーマデータ２３ａから、抽出されたグループＩＤと、検索元の部署の識別子と、に関連づけられたテーマ名データ２３ａを抽出して、検索された素材データ２１ａと抽出されたテーマ名データ２３ａを、検索元の部署端末に送信する。
【００６２】
検索手段１４は、素材データの検索条件を受信する際、その検索条件を送信した送信元の端末の部署の識別子も取得する。検索手段１４は、検索条件に従って、素材データを検索するとともに、素材管理データ２２ａおよびテーマデータ２３ａを検索して、その素材データに関連するグループＩＤおよびその送信元の識別子に対応したテーマ名、優先度および番号等を抽出する。検索手段１４は、検索した素材データと、抽出したテーマ名、優先度および番号等を、検索条件を送信した端末に送信する。これにより、素材データを、各部署が独自に付与したテーマ名、優先度および番号に従って、各部署で表示または印刷することができる。
【００６３】
検索手段１４はさらに、印刷テンプレート管理データ記憶部２４から、検索条件を送信した送信元の部署の識別子に対応づけられた印刷テンプレートデータを抽出し、抽出した印刷テンプレートデータを送信元の部署端末に送信する。これにより、各部署端末では、それぞれが必要とする印刷テンプレートを用いて、検索手段１４によって検索された素材データを印刷することができる。
【００６４】
図９を参照して、検索手段１４による検索処理を説明する。
【００６５】
まずステップＳ３０１において、検索手段１４は、作成部署端末２、出稿部署端末３および整理部署端末４のいずれかの端末から、素材データを検索するための検索条件を受信する。この際、検索手段１４は、検索条件を送信した端末の部署の識別子も併せて取得する。端末の部署の識別子は、端末部署によって入力されても良いし、送信元のＩＰアドレス等から検索手段１４が判別しても良い。
【００６６】
ステップＳ３０２において検索手段１４は、素材データ記憶部２１から検索条件に適合する素材データを検索する。さらに、検索された各素材データについて、素材管理データ記憶部２２から、各素材管理データのグループＩＤを取得する。さらに検索手段１４は、取得した各グループＩＤについて、テーマデータ記憶部２３から、各グループＩＤおよび検索条件送信元の部署の識別子に対応づけられたテーマ名、優先度および番号等を取得する。
【００６７】
ステップＳ３０３において検索手段１４は、ステップＳ３０２で取得した素材データと、ステップＳ３０２で取得されたテーマ名、優先度および番号等の素材管理データを、検索条件を送信した端末に送信する。さらにステップＳ３０４において検索手段１４は、印刷テンプレート管理データ２４から、送信元の部署の識別子に対応づけられた印刷テンプレートデータを抽出し、検索条件を送信した端末に送信する。
【００６８】
図１０ないし図１５を参照して、本発明の実施の形態において、各部署端末において素材データが一覧表示された画面と、一覧印刷された印刷物を説明する。
【００６９】
図１０は、作成部署端末２での一覧表示画面を説明する図で、図１１は、作成部署端末２で一覧印刷された印刷物を説明する図である。図１０において一覧印刷された各素材データは、グループＩＤごとに表示されている。図１０に示すように、各グループのテーマ名は、図５で示したテーマデータ２３ａの作成部署のテーマ名に一致する。同様に、各グループの優先度および番号も、図５で示したテーマデータ２３ａの作成部署の優先度および番号に一致する。図１０に示す一覧印刷ボタンＢ１０１がクリックされると、図１２に示されるような一覧印刷が印刷される。図１１においては、図５で示したテーマデータ２３ａの作成部署のテーマ名、優先度および番号が、一覧で表示されている。
【００７０】
図１２は、出稿部署端末３での一覧表示画面を説明する図で、図１３は、出稿部署端末３で一覧印刷された印刷物を説明する図である。図１２において一覧印刷された各素材データは、グループＩＤごとに表示されている。図１０に示すように、各グループのテーマ名は、図５で示したテーマデータ２３ａの出稿部署のテーマ名に一致する。同様に、各グループの優先度および番号も、図５で示したテーマデータ２３ａの出稿部署の優先度および番号に一致する。図１２に示す一覧印刷ボタンＢ１０２がクリックされると、図１３に示されるような一覧印刷が印刷される。図１３においては、図５で示したテーマデータ２３ａの出稿部署のテーマ名、優先度および番号が、一覧で表示されている。ここで、図１２におよび図１３においては、各グループに＜トップ＞、＜文化面＞等の面とグループを関連づけた情報も記載されている。この＜トップ＞、＜文化面＞等の情報は、グループと新聞の掲載面とを関連づけた情報である。この関連づけは、上述した処理とは別に、出稿部署端末３によってなされる。また、図１２および図１３に示すように、出稿部署による一覧印刷は、全ての地方面の情報も掲載される。出稿部署は、全ての地方の記事を扱うからである。
【００７１】
図１４は、整理部署端末４での一覧表示画面を説明する図で、図１５は、整理部署端末４で一覧印刷された印刷物を説明する図である。図１４において一覧印刷された各素材データは、グループＩＤごとに表示されている。図１４に示すように、各グループのテーマ名は、図５で示したテーマデータ２３ａの整理部署のテーマ名に一致する。同様に、各グループの優先度および番号も、図５で示したテーマデータ２３ａの整理部署の優先度および番号に一致する。図１４に示す一覧印刷ボタンＢ１０３がクリックされると、図１５に示されるような一覧印刷が印刷される。図１５においては、図５で示したテーマデータ２３ａの整理部署のテーマ名、優先度および番号が、一覧で表示されている。ここで、図１４におよび図１５においては、各グループに＜トップ＞、＜文化面＞等の面とグループを関連づけた情報も記載されている。この＜トップ＞、＜文化面＞等の情報は、グループと新聞の掲載面とを関連づけた情報である。この関連づけは、上述した処理とは別に、整理部署端末４によってなされる。また、図１４および図１５に示すように、整理部署による一覧印刷は、一つの地方面の情報も掲載される。整理部署は、最終的に配達される新聞のデータを形成するからである。
【００７２】
図１１、図１３および図１５に示した各部署端末による一覧印刷を比較すると、各々、独自の印刷スタイルで、独自に設定したテーマ名、優先度および番号で印刷されている。これは、各部署ごとに設定された印刷テンプレートデータに従って、各部署が独自に要求する形式で、グループデータが印刷されるからである。
【００７３】
本発明の最良の実施の形態においては、素材データを一つのグループに関連づけ、各部署が、グループ単位で、テーマ名、優先度および番号を付与することができる。特に新聞の作成においては、短期間に何度か会議を重ね、各部署の連携が必要とされる。このとき、各部署が共通して使用する素材データに、各部署が、各部署の目的に応じたテーマ名、優先度および番号を付与することにより、効率的な新聞の作成を支援することができる。
【００７４】
また、各部署の役割に応じて検索結果を表示するとともに、各部署が要求する形式で印刷することができる。これにより、各部署は各部署用に印刷された印刷物を持参して、紙面会議に出席することができる。
【００７５】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００７６】
例えば、本発明の実施の形態に記載した素材管理装置は、図１に示すように一つのハードウェア上に構成されても良いし、その機能や処理数に応じて複数のハードウェア上に構成されても良い。また、既存の新聞作成システム上に実現されても良い。
【００７７】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００７８】
１  素材管理装置
２  作成部署端末
３  出稿部署端末
４  整理部署端末
５  通信ネットワーク
１１  素材受信手段
１２  素材登録手段
１３  テーマ登録手段
１４  検索手段
２１  素材データ記憶部
２２  素材管理データ記憶部
２３  テーマデータ記憶部
２４  印刷テンプレートデータ記憶部
１０１  中央処理制御装置
１０２  ＲＯＭ
１０３  ＲＡＭ
１０４  入力装置
１０５  表示装置
１０６  通信制御装置
１０７  記憶装置
１０８  リムーバブルディスク
１０９  入出力インタフェース
１１０  バス
【図１】
2011059807.tif 000003
【図２】
2011059807.tif 000004
【図３】
2011059807.tif 000005
【図４】
2011059807.tif 000006
【図５】
2011059807.tif 000007
【図６】
2011059807.tif 000008
【図７】
2011059807.tif 000009
【図８】
2011059807.tif 000010
【図９】
2011059807.tif 000011
【図１０】
2011059807.tif 000012
【図１１】
2011059807.tif 000013
【図１２】
2011059807.tif 000014
【図１３】
2011059807.tif 000015
【図１４】
2011059807.tif 000016
【図１５】
2011059807.tif 000017